(57)【要約】 【課題】  着火操作子５の不用意な駆動によってはガス燃焼炎を生じない。【解決手段】  ガス放出ノズル１に燃料ガスを送気する燃料ガス放出弁を持つ燃料槽２と、燃料ガス放出弁を開駆動するガス放出レバー３と、ガス放出ノズルから外気に出た燃料ガスを点火する点火機構４ａ，４ｂと、指によって駆動されて点火機構を点火駆動する着火操作子５と、を備えるガスライタにおいて、  ガス放出レバー３に対して係合／離脱する係合手段６ａと、着火操作子５の点火駆動の移動方向とは交叉する方向に指で操作されると係合手段６ａを係合の位置とする受操作手段６ｂと、を含み、係合手段６ａが係合の位置にあるときは着火操作子５の点火機構を点火駆動するための移動によって、ガス放出レバー３を開駆動する方向に駆動する安全機構６ａ〜６ｄ、を備えることを特徴とする。【選択図】  図３
2011133195.tif 000002
【特許請求の範囲】
【請求項１】
ガス放出ノズルに燃料ガスを送気する燃料ガス放出弁を持つ燃料槽と、前記燃料ガス放出弁を開駆動するガス放出レバーと、前記ガス放出ノズルから外気にでた燃料ガスを点火する点火機構と、指によって駆動されて前記点火機構を点火駆動する着火操作子と、を備えるガスライタにおいて、
前記ガス放出レバーに対して係合／離脱する係合手段と、前記着火操作子の点火駆動の移動方向とは交叉する方向に指で操作されると該係合手段を前記係合の位置とする受操作手段と、を含み、前記係合手段が前記係合の位置にあるときは前記着火操作子の前記点火機構を点火駆動するための移動によって、前記ガス放出レバーを開駆動する方向に駆動する安全機構、を備えることを特徴とするガスライタ。
【請求項２】
前記安全機構は、前記着火操作子を、点火駆動方向と交叉する方向に貫通し該着火操作子で該交叉する方向に進退可に保持されたピン形ボタンおよび該ピン形ボタンを前記着火操作子を外表面より突出する方向に強制するばねでなり、該ピン形ボタンの、前記外表面より突出する先端部が前記受操作手段であって、尾端部が前記係合手段である、請求項１に記載のガスライタ。
【請求項３】
前記着火操作子の前記外表面は、前記先端部の周りで該先端部の端面より低いが、該周りの外では該端面と同程度あるいは該端面より高い、請求項２に記載のガスライタ。
【請求項４】
前記着火操作子は、指押しによって開き回動するケース蓋であり、前記ピン形ボタンの前記先端部が、該ケース蓋の、開き回動のための指当て部位で該ケース蓋を貫通して外部に露出する、請求項３に記載のガスライタ。
【発明の詳細な説明】
【技術分野】
【０００１】
本発明は、手持ちガスライタに関し、特に、人（例えば子供）が着火操作子を安易にいじることによるガス燃焼炎の発生を防止する機構を備える、いわゆる安全ガスライタ、に関する。本発明は、紙巻タバコ，葉巻などに火をつけるガスライタ（ポケットライタ）および燭台，薪，焚火の火付け材等に火をつけるガスライタ（着火具）に実施することができる。
【背景技術】
【０００２】
この種のガスライタの着火操作子は多様である。例えば着火操作子が、フリント発火機構周りあるいは放電火花により燃料ガスを点火する電極周りを覆うケース蓋の場合は、人がこのケース蓋を開くことにより、まずガス放出レバーが弁開方向に駆動されて燃料タンクのガス放出弁が開き、そしてフリント火花または電気火花（スパーク）がガスを点火する。また、着火操作子が押ボタン又はスライドボタンの場合は、人がこの押ボタンを押し下げる又は横スライドすることにより、ガス放出レバーが弁開方向に駆動されて燃料タンクのガス放出弁が開き、そして電気火花がガスを点火する（例えば特許文献１）。
【先行技術文献】
【特許文献】
【０００３】
【特許文献１】特開２００４−１１６８４９号公報
【発明の概要】
【発明が解決しようとする課題】
【０００４】
幼児あるいは年少者が、父親など身近な人のガスライタ使用を真似してガスライタをいじって、思わぬガス燃焼炎の発生により、やけどをしあるいは火災を発生することがある。このような事故を防ぐために、着火操作子が単純操作では着火移動しないように、ロック機構を設けることが推奨されている。特許文献１のガスライタは、押ボタンロック機構を備えて、押ボタンを横スライド（アンロック操作）することにより押ボタンをアンロック位置にしてからでないと、着火のための押下（着火操作）ができないようにしている。
【０００５】
ところで、着火操作子の機械的なロック機構は、細かな機構であり、強い力が加わるとロック機構が破壊されて着火操作が可能になってしまうことがある。また、幼児あるいは年少者がガスライタをいじっているうちに、意図的ではなくても、たまたまアンロック操作と着火操作が成立して思わぬガス燃焼炎を生じるおそれもある。
【０００６】
本発明は、着火操作子の不用意な駆動によってはガス燃焼炎を生じないガスライタを提供することを目的とする。
【課題を解決するための手段】
【０００７】
（１）ガス放出ノズル(1)に燃料ガスを送気する燃料ガス放出弁を持つ燃料槽(2)と、前記燃料ガス放出弁を開駆動するガス放出レバー(3)と、前記ガス放出ノズルから外気にでた燃料ガスを点火する点火機構(4a,4b)と、指によって駆動されて前記点火機構を点火駆動する着火操作子(5)と、を備えるガスライタにおいて、
前記ガス放出レバー(3)に対して係合／離脱する係合手段(6a)と、前記着火操作子(5)の点火駆動の移動方向とは交叉する方向に指で操作されると該係合手段(6a)を前記係合の位置とする受操作手段(6b)と、を含み、前記係合手段(6a)が前記係合の位置にあるときは前記着火操作子(5)の前記点火機構を点火駆動するための移動によって、前記ガス放出レバー(3)を開駆動する方向に駆動する安全機構(6a〜6d)、を備えることを特徴とするガスライタ。
【０００８】
なお、理解を容易にするために括弧内には、図面に示し後述する実施例の対応要素又は相当要素の記号を、例示として参考までに付記した。以下も同様である。
【発明の効果】
【０００９】
使用者が安全機構(6a〜6d)の受操作手段(6b)を操作して係合手段(6a)を前記係合の位置（図１の(b)）とし、しかも着火操作子(5)を点火駆動すると、この点火駆動によって、係合手段(6a)がガス放出レバー(3)に係合してガス放出レバー(3)を開駆動するので、ガス放出ノズル(1)から燃料ガスが外気に出て、しかも点火機構(4a,4b)が点火駆動されて該燃料ガスを点火する。これにより燃焼ガス炎(10)が発生する（図３）。
【００１０】
人（例えば幼児又は年少者）が受操作手段(6b)を操作することなく、着火操作子(5)を点火駆動方向に動かして、仮に点火機構(4a,4b)が点火駆動されても（図２）、係合手段(6a)が離脱位置にあってガス放出レバー(3)には係合せず燃料ガス放出弁が閉に留まってガス放出ノズル(1)からは燃料ガスが出ないので、燃焼ガス炎は発生しない。したがって不用意な操作に対する安全性が高く、着火操作子(5)が強引に点火駆動方向に駆動されても、燃料ガスが出ないので、燃焼ガス炎が発生する可能性が低く、安全性が高い。
【図面の簡単な説明】
【００１１】
【図１】本発明の１実施例のガスライタの縦断面図であり、（ａ）は非使用状態を、（ｂ）は使用のために安全機構のピン形ボタン６をガス放出のための係合位置に押し込んだ状態を、それぞれ示す。
【図２】図１に示すガスライタのケース蓋５を、ピン形ボタン６を図１の（ａ）に示す解除位置に置いたまま開けた状態を示す縦断面図である。
【図３】図１に示すガスライタのケース蓋５を、ピン形ボタン６を図１の（ｂ）に示す係合位置に置いて開けた状態を示す縦断面図である。
【発明を実施するための形態】
【００１２】
（２）前記安全機構(6a〜6d)は、前記着火操作子(5)を、点火駆動方向と交叉する方向に貫通し該着火操作子(5)で該交叉する方向に進退可に保持されたピン形ボタン(6:6a〜6c)および該ピン形ボタンを前記着火操作子(5)を外表面より突出する方向に強制するばね(6d)でなり、該ピン形ボタン(6)の、前記外表面より突出する先端部(6b)が前記受操作手段(6b)であって、尾端部(6a)が前記係合手段(6a)である、上記（１）に記載のガスライタ。
【００１３】
（３）前記着火操作子(5)の前記外表面は、前記先端部(6b)の周りで該先端部の端面より低いが、該周りの外では該端面と同程度あるいは該端面より高い、上記（２）に記載のガスライタ。
【００１４】
（４）前記着火操作子(5)は、指押しによって開き回動するケース蓋(5)であり、前記ピン形ボタン(6)の前記先端部(6b)が、該ケース蓋(5)の、開き回動のための指当て部位で該ケース蓋(5)を貫通して外部に露出する、上記（３）に記載のガスライタ。
【００１５】
本発明の他の目的および特徴は、図面を参照した以下の実施例の説明より明らかになろう。
【実施例】
【００１６】
図１に示すポケットライタには、液化燃料槽２があり、その内部には、ガス放出ノズル１に燃焼ガスを送気する常閉弁である燃料ガス放出弁があり、ガス放出ノズル１が上方に引き上げられると、燃料ガス放出弁が弁開となって、液化燃料槽２内にある液化燃料の一部が気化してノズル１から外気に出る。ノズル周りの空間を囲む火口ユニットは、ピン７で燃料槽２に連結されている。
【００１７】
ガス放出レバー３の先端がノズル１の下端に係合しており、ガス放出レバー３の、くの字形の跳ね上がりの尾端を、時計方向に廻すことにより、ガス放出レバー３が支持ピン９を中心に回動して、ガス放出レバー３の先端がノズル１を上方に押し上げ、これにより燃料槽２内の燃料ガス放出弁が開き、燃料槽２内の液化燃料が気化してノズル１を通って外気に流出する。
【００１８】
液化燃料槽２の隣には、本実施例では、圧電ユニット４ａがあり、その頭部のスライダをケース蓋５と一体の押しアームが押し下げると、該スライダがある程度降下した位置でユニット４ａ内において、圧電素子がプランジャで打撃されて高電圧を発生し、電極４ｂ／ノズル１間に該高電圧が加わって、電極４ｂ／ノズル１間に電気火花（スパーク）が発生し、ノズル１から燃料ガスが流出しているときには、該燃料ガスが該電気火花で点火され、火口ユニットの、ノズル１の上方に位置する炎口から、ローソクの炎のような炎（図３の１０）が発生する。本実施例では、圧電ユニット４ａと電極４ｂの組合せが、点火機構である。
【００１９】
着火操作子であるケース蓋５とそれに一体の押しアームは、キャップ支点ピン８を中心に回動可であり、ケース蓋５の時計回りの回動によって、圧電ユニット４ａの頭部のスライダが押し下げられる。着火操作子であるケース蓋５の上辺の略中央部には、安全機構のピン形ボタン６が装着されている。
【００２０】
この安全機構は、本実施例では、ケース蓋５を貫通するピン形ボタン６とこれを上向き強制する圧縮コイルスプリング６ｄを含む。該ピン形ボタン６は、人の指が当たる受操作手段である小径ボタン状の頭部すなわちケース蓋５の上外表面より突出する先端部６ｂ，ガス放出レバー３に係合する係合手段である尾端部６ａおよび先端／尾端間の幹部６ｃ、があるピンであって、圧縮コイルスプリング６ｄおよびケース蓋５を貫通している。ケース蓋５を貫通した尾端部６ａと幹部６ｃとの間のリング状の溝にＥリングが圧入され、これによりケース蓋５からのピン形ボタン６の抜けが防止される。圧縮コイルスプリング６ｄが、ピン形ボタン６の先端部６ｂである小径ボタンをケース蓋５から突き出すように強制している。
【００２１】
図１の（ａ）に示すように、着火操作子であるケース蓋５の外表面は、ピン形ボタン６の先端部６ｂの周りで先端部６ｂの端面より低いが、該周りの外では該端面と同程度あるいは該端面より高い。使用者は、図１の（ａ）に示すライタのケース本体を握って親指の腹をピン形ボタン６の先端部６ｂの上端面に当てて、図１の（ｂ）に示すように、ピン形ボタン６を押し下げることができる。
【００２２】
人例えば幼児又は年少者が、図１の（ａ）に示すケース蓋５の右上角を押し下げると、ケース蓋５は図２に示すようにピン８を中心にして回動して開くかもしれないが、この場合は、ピン形ボタン６の、ピン８を中心とする尾端部６ａの回動軌跡（図１の（ａ），図２上の２点鎖線円）が、ガス放出レバー３のくの字に跳ね上がった尾端の外になるので、ピン形ボタン６の尾端部６ａはガス放出レバー３の尾端に係合せず、回動しない。従ってノズル１から燃料ガスは出ず、仮に、ケース蓋５の回動によって圧電ユニット４ａが駆動されて高電圧を発生しこれによりノズル１／電極４ｂ間に電気火花を生じても、燃焼ガス炎である火炎（図３上の１０）は発生しない。
【００２３】
使用者が、ピン形ボタン６の先端部６ｂを図１の（ｂ）に示すように押し下げて、その状態を維持してケース蓋５を時計方向に廻すと、ピン形ボタン６の、ピン８を中心とする尾端部６ａの回動軌跡（図３上の２点鎖線円）が、ガス放出レバー３のくの字に跳ね上がった尾端に交わるので、ピン形ボタン６の尾端部６ａがガス放出レバー３の尾端に係合し、ガス放出レバー３が時計回りに回動駆動されて、ガス放出レバー３の先端がノズル１を上方に押し上げる。これにより燃料槽２内の燃料ガス放出弁が開き、ノズル１から燃料ガスが流出する。この直後にケース蓋５の回動によって押下力を受けていた圧電ユニット４ａがその内部の圧電素子を打撃して高電圧を発生し、この高電圧によってノズル１／電極４ａ間に電気火花が発生し、これが流出ガスに火をつけ、すなわち点火し、これにより、図３に示すように、燃焼ガス炎１０が発生する。
【００２４】
上述のように、例えば幼児又は年少者が、ピン形ボタン６の先端部６ｂ（小径ボタン）を押すことなくケース蓋５を点火駆動方向に動かして、仮に圧電ユニット４ａが高電圧を発生してこれによりノズル１／電極４ｂ間に電気火花を生じても、ピン形ボタン６の係合手段である尾端部６ａがガス放出レバー３の尾端には係合せず燃料ガス放出弁が閉に留まってノズル１からは燃料ガスが出ないので、燃焼ガス炎１０は発生しない。したがって不用意な操作に対する安全性が高い。また、ケース蓋５が強引に点火駆動方向に駆動されても、燃料ガスが出ないので、燃焼ガス炎が発生する可能性が低く、安全性が高い。
【符号の説明】
【００２５】
１：ガス放出ノズル
２：液化燃料槽
３：ガス放出レバー
４ａ：圧電ユニット
４ｂ：電極
５：ケース蓋
６：安全機構
６ａ：尾端部
６ｂ：先端部
６ｃ：幹部
６ｄ：圧縮コイルスプリング
７〜９：ピン
１０：燃焼ガス炎
【図１】
2011133195.tif 000003
【図２】
2011133195.tif 000004
【図３】
2011133195.tif 000005